(57)【要約】【課題】高価な光部品を用いずに１本の光ファイバによる安定な双方向光通信を可能にする。【解決手段】第１レーザダイオードＬＤ１と第１ＷＤＭカプラＰＣ１とを結ぶ第１送信側光伝送路ＴＰ１中に、光ファイバの軸をずらして融着することによる第１光減衰部ＡＴ１を設けると共に、第２レーザダイオードＬＤ２と第２ＷＤＭカプラＰＣ２とを結ぶ第２送信側光伝送路ＴＰ２中に、光ファイバの軸をずらして融着することによる第２光減衰部ＡＴ２を設けた。【効果】相手側レーザダイオードからの光や光コネクタなどで反射した光が自己側レーザダイオードに入るまでに十分減衰するので、レーザダイオードの動作に悪影響を与えなくなり、安定な双方向光通信が可能になる。【選択図】図１
2006060641.tif 000002
【特許請求の範囲】
【請求項１】
第１レーザダイオードと第１ＷＤＭカプラとを結ぶ第１送信側光伝送路と、前記第１ＷＤＭカプラと第２ＷＤＭカプラとを結ぶ共通光伝送路と、前記第２ＷＤＭカプラと第１フォトダイオードとを結ぶ第１受信側光伝送路と、第２レーザダイオードと前記第２ＷＤＭカプラとを結ぶ第２送信側光伝送路と、前記第１ＷＤＭカプラと第２フォトダイオードとを結ぶ第２受信側光伝送路とを具備してなる光伝送路であって、前記第１送信側光伝送路中に、光ファイバの軸をずらして融着することによる第１光減衰部を設けると共に、前記第２送信側光伝送路中に、光ファイバの軸をずらして融着することによる第２光減衰部を設けたことを特徴とする光伝送路。
【請求項２】
請求項１に記載の光伝送路において、前記第１ＷＤＭカプラおよび前記第２ＷＤＭカプラの少なくとも一方の代わりに、分岐カプラを用いたことを特徴とする光伝送路。
【請求項３】
請求項１または請求項２に記載の光伝送路において、前記第１レーザダイオードの出力レベルを０［ｄＢ］とし、前記第１フォトダイオードでの許容受光レベルを−Ｌ１［ｄＢ］とし、前記第１光減衰部の減衰量を−Ａ１［ｄＢ］とし、前記第１光減衰部がない場合の前記第１送信側光伝送路の減衰量を−Ｓ１［ｄＢ］とし、第１ＷＤＭカプラまたは分岐カプラでの減衰量を−Ｂ１［ｄＢ］とし、前記共通光伝送路の減衰量を−Ｃ［ｄＢ］とし、第２ＷＤＭカプラまたは分岐カプラでの減衰量を−Ｂ２［ｄＢ］とし、前記第１受信側光伝送路の減衰量を−Ｒ１［ｄＢ］とし、前記第２レーザダイオードの出力レベルを０［ｄＢ］とし、前記第２フォトダイオードでの許容受光レベルを−Ｌ２［ｄＢ］とし、前記第２光減衰部の減衰量を−Ａ２［ｄＢ］とし、前記第２光減衰部がない場合の前記第２送信側光伝送路の減衰量を−Ｓ２［ｄＢ］とし、前記第２受信側光伝送路の減衰量を−Ｒ２［ｄＢ］とするとき、
Ａ１＋Ｓ１＋Ｂ１＋Ｃ＋Ｂ２＋Ｒ１≦Ｌ１
Ａ２＋Ｓ２＋Ｂ２＋Ｃ＋Ｂ１＋Ｒ２≦Ｌ２
となるように光減衰部の減衰量Ａ１，Ａ２を調整することを特徴とする光伝送路。
【請求項４】
レーザダイオードとフォトダイオードとを結ぶ光伝送路であって、該光伝送路中に介設された光コネクタと前記レーザダイオードの間に、光ファイバの軸をずらして融着することによる光減衰部を設けたことを特徴とする光伝送路。
【請求項５】
請求項４に記載の光伝送路において、前記レーザダイオードの出力レベルを０［ｄＢ］とし、前記フォトダイオードでの許容受光レベルを−Ｌ［ｄＢ］とし、前記光減衰部の減衰量を−Ａ［ｄＢ］とし、前記光減衰部がない場合の光伝送路の減衰量を−Ｂ［ｄＢ］とするとき、
Ａ＋Ｂ≦Ｌ
となるように光減衰部の減衰量Ａを調整することを特徴とする光伝送路。
【発明の詳細な説明】
【技術分野】
【０００１】
本発明は、光伝送路に関し、さらに詳しくは、高価な光部品を用いずに１本の光ファイバによる安定な双方向光通信を可能にする光伝送路に関する。
【背景技術】
【０００２】
従来、第１光送信機と第１光合波分波器を結ぶ第１送信側光伝送路と、第１光合波分波器と第２光合波分波器とを結ぶ共通光伝送路と、第２光合波分波器と第１光受信機とを結ぶ第１受信側光伝送路と、第２光送信機と第２光合波分波器とを結ぶ第２送信側光伝送路と、第１光合波分波器と第２光受信機とを結ぶ第２受信側光伝送路とを具備してなる光伝送路であって、光ファイバ溶融形の光合波分波器を用いた光伝送路が知られている（例えば、特許文献１参照。）。また、フィルタの光合波分波器を用いた光伝送路が知られている（例えば、特許文献２参照。）。
【０００３】
【特許文献１】特開平７−３８５３１号公報（第１図）
【特許文献２】特開２０００−１９６５３７号公報（図１）
【発明の開示】
【発明が解決しようとする課題】
【０００４】
上記従来の光伝送路では、第１（又は第２）光送信機のレーザダイオードの光が第２（又は第１）光送信機のレーザダイオードに入るのを抑えるために、光アイソレータを内蔵したレーザダイオードを用いるか、分離度が大きい光合波分波器を用いてレーザダイオードの動作を安定させていた。
また、実際の光伝送路では、光伝送路中に光コネクタなどが介設されると、その光コネクタで光の一部が反射されて光源のレーザダイオードへの戻り光となることもあり、光源のレーザダイオードにアイソレータを内臓することが一般的であった。
しかし、そのようなレーザダイオードは高価であるため、一般的な機器には使い難い。
【０００５】
また、光アイソレータを内蔵していないレーザダイオードを用いた機器に対しては、分離度が大きい光合波分波器を用いる必要があり、さらに光コネクタの反射を少なくする必要もある。
しかし、一般には、光機器と光機器間を結ぶ光ファイバは個別に設置されるので、汎用性のある光機器とするには、光コネクタには反射があるものとして、光機器に対策を施すことが必要である。
【０００６】
そこで、本発明の目的は、高価な光部品を用いずに１本の光ファイバによる安定な双方向光通信を可能にする光伝送路を提供することにある。
【課題を解決するための手段】
【０００７】
第１の観点では、本発明は、第１レーザダイオードと第１ＷＤＭカプラとを結ぶ第１送信側光伝送路と、前記第１ＷＤＭカプラと第２ＷＤＭカプラとを結ぶ共通光伝送路と、前記第２ＷＤＭカプラと第１フォトダイオードとを結ぶ第１受信側光伝送路と、第２レーザダイオードと前記第２ＷＤＭカプラとを結ぶ第２送信側光伝送路と、前記第１ＷＤＭカプラと第２フォトダイオードとを結ぶ第２受信側光伝送路とを具備してなる光伝送路であって、前記第１送信側光伝送路中に、光ファイバの軸をずらして融着することによる第１光減衰部を設けると共に、前記第２送信側光伝送路中に、光ファイバの軸をずらして融着することによる第２光減衰部を設けたことを特徴とする光伝送路を提供する。
上記第１の観点による光伝送路では、第１（又は第２）レーザダイオードの光が共通伝送路へ出て行くときに第１（又は第２）光減衰部で減衰し、第２（又は第１）レーザダイオードに入る前に第２（又は第１）光減衰部で減衰し、二重に減衰する。つまり、相手側レーザダイオードからの光が自己側レーザダイオードに入るまでに十分減衰するので、レーザダイオードの動作に悪影響を与えなくなり、安定な双方向光通信が可能になる。
また、第１（又は第２）レーザダイオードから出た光が第１（又は第２）光減衰部を通過して共通伝送路へ出て行くときに減衰し、共通光伝送路中の光コネクタなどで反射した戻り光が第１（又は第２）光減衰部を通過して第１（又は第２）レーザダイオードに戻るときに再び減衰し、二重に減衰する。つまり、自己側レーザダイオードからの光が光コネクタなどで反射して自己側レーザダイオードに戻るまでに十分減衰するので、レーザダイオードの動作に悪影響を与えなくなり、安定な双方向光通信が可能になる。
他方、第１（又は第２）フォトダイオードに届く光は、第１（又は第２）光減衰部で一回しか減衰しないため、フォトダイオードの許容受光レベルを確保することが出来る。
なお、光ファイバの軸をずらして融着することによる光減衰部に限定したのは、この光減衰部は他の光減衰器に比べて反射がほとんどないためである。換言すれば、光ファイバの軸をずらして融着することによる光減衰部以外の光減衰器では、それ自身が光を反射して戻り光を作ってしまうため、好ましくない。また、レーザダイオードとＷＤＭカプラの接続時に、光ファイバの軸をずらして接続することで、極めて経済的に光減衰部を構成できるためである。
【０００８】
第２の観点では、本発明は、上記構成の光伝送路において、前記第１ＷＤＭカプラおよび前記第２ＷＤＭカプラの少なくとも一方の代わりに、分岐カプラを用いたことを特徴とする光伝送路を提供する。
上記第２の観点による光伝送路では、ＷＤＭカプラよりも安価な分岐カプラをＷＤＭカプラの代わりに用いるため、コストをより低減できる。なお、分岐カプラはＷＤＭカプラよりもアイソレーションが小さいが、光ファイバの軸をずらして融着することによる光減衰部を設けることで双方向通信に支障を生じなくなる。
【０００９】
第３の観点では、本発明は、上記構成の光伝送路において、前記第１レーザダイオードの出力レベルを０［ｄＢ］とし、前記第１フォトダイオードでの許容受光レベルを−Ｌ１［ｄＢ］とし、前記第１光減衰部の減衰量を−Ａ１［ｄＢ］とし、前記第１光減衰部がない場合の前記第１送信側光伝送路の減衰量を−Ｓ１［ｄＢ］とし、第１ＷＤＭカプラまたは分岐カプラでの減衰量を−Ｂ１［ｄＢ］とし、前記共通光伝送路の減衰量を−Ｃ［ｄＢ］とし、第２ＷＤＭカプラまたは分岐カプラでの減衰量を−Ｂ２［ｄＢ］とし、前記第１受信側光伝送路の減衰量を−Ｒ１［ｄＢ］とし、前記第２レーザダイオードの出力レベルを０［ｄＢ］とし、前記第２フォトダイオードでの許容受光レベルを−Ｌ２［ｄＢ］とし、前記第２光減衰部の減衰量を−Ａ２［ｄＢ］とし、前記第２光減衰部がない場合の前記第２送信側光伝送路の減衰量を−Ｓ２［ｄＢ］とし、前記第２受信側光伝送路の減衰量を−Ｒ２［ｄＢ］とするとき、
Ａ１＋Ｓ１＋Ｂ１＋Ｃ＋Ｂ２＋Ｒ１≦Ｌ１
Ａ２＋Ｓ２＋Ｂ２＋Ｃ＋Ｂ１＋Ｒ２≦Ｌ２
となるように光減衰部の減衰量Ａ１，Ａ２を調整することを特徴とする光伝送路を提供する。
上記第３の観点による光伝送路では、フォトダイオードでの許容受光レベル−Ｌ１，−Ｌ２を確保することが出来る。
【００１０】
第４の観点では、本発明は、レーザダイオードとフォトダイオードとを結ぶ光伝送路であって、該光伝送路中に介設された光コネクタと前記レーザダイオードの間に、光ファイバの軸をずらして融着することによる光減衰部を設けたことを特徴とする光伝送路を提供する。
上記第４の観点による光伝送路では、レーザダイオードから出た光が光減衰部を通過して光伝送路を進むときに減衰し、光伝送路中の光コネクタで反射した戻り光が光減衰部を通過してレーザダイオードに戻るときに再び減衰し、二重に減衰するため、戻り光は十分弱くなり、レーザダイオードの動作に悪影響を与えなくなる。他方、フォトダイオードに届く光は、光減衰部で一回しか減衰しないため、フォトダイオードの許容受光レベルを確保することが出来る。なお、光ファイバの軸をずらして融着することによる光減衰部に限定したのは、この光減衰部は他の光減衰器に比べて反射がほとんどないためである。換言すれば、光ファイバの軸をずらして融着することによる光減衰部以外の光減衰器では、それ自身が光を反射して戻り光を作ってしまうため、好ましくない。
【００１１】
第５の観点では、本発明は、上記構成の光伝送路において、前記レーザダイオードの出力レベルを０［ｄＢ］とし、前記フォトダイオードでの許容受光レベルを−Ｌ［ｄＢ］とし、前記光減衰部の減衰量を−Ａ［ｄＢ］とし、前記光減衰部がない場合の光伝送路の減衰量を−Ｂ［ｄＢ］とするとき、
Ａ＋Ｂ≦Ｌ
となるように光減衰部の減衰量Ａを調整することを特徴とする光伝送路を提供する。
上記第５の観点による光伝送路では、フォトダイオードでの許容受光レベル−Ｌを確保することが出来る。
【発明の効果】
【００１２】
本発明の光伝送路によれば、光伝送路中の光コネクタなどで反射した光がレーザダイオードに戻って悪影響を与えるのを安価に防止できる。 
【発明を実施するための最良の形態】
【００１３】
以下、図に示す実施の形態により本発明をさらに詳細に説明する。なお、これにより本発明が限定されるものではない。
【実施例１】
【００１４】
図１は、実施例１に係る光伝送路を示す構成図である。
この光伝送路は、第１レーザダイオードＬＤ１と第１ＷＤＭカプラＰＣ１とを結ぶ第１送信側光伝送路ＴＰ１と、第１ＷＤＭカプラＰＣ１と第２ＷＤＭカプラＰＣ２とを結ぶ共通光伝送路ＣＰと、第２ＷＤＭカプラＰＣ２と第１フォトダイオードＰＤ１とを結ぶ第１受信側光伝送路ＲＰ１と、第２レーザダイオードＬＤ２と第２ＷＤＭカプラＰＣ２とを結ぶ第２送信側光伝送路ＴＰ２と、第１ＷＤＭカプラＰＣ１と第２フォトダイオードＰＤ２とを結ぶ第２受信側光伝送路ＲＰ２とを具備してなる光伝送路であって、第１送信側光伝送路ＴＰ１中に、光ファイバの軸をずらして融着することによる第１光減衰部ＡＴ１を設けると共に第２送信側光伝送路ＴＰ２中に、光ファイバの軸をずらして融着することによる第２光減衰部ＡＴ２を設けたものである。
【００１５】
第１レーザダイオードＬＤ１は、第１データＤ１に基づいて変調された電流により第１ドライバＤＶ１で駆動され、波長λ１（例えば１３１０［ｎｍ］）のレーザ光を出力する。
【００１６】
第１ＷＤＭカプラＰＣ１は、第１送信側光伝送路ＴＰ１から入力される波長λ１のレーザ光を共通光伝送路ＣＰへ出力し、共通光伝送路ＣＰから入力される波長λ２のレーザ光を第２受信側光伝送路ＲＰ２へ出力するものである。このようなＷＤＭカプラは、例えば特許文献２に記載されている。また、ＷＤＭフィルタモジュールとして市販されている。
【００１７】
第１送信側光伝送路ＴＰ１は、図２に示すように、光ファイバ１０の中心軸ａｘ１と光ファイバ２０の中心軸ａｘ２とをずらせて光ファイバ１０と光ファイバ２０とを接合し、接合部分を熱処理してコア１１とコア２１とを滑らかに繋いだものである。接合部分が第１光減衰部ＡＴ１となる。このような光減衰部の作製方法や減衰量の調整方法は、例えば特開平１０−１２３３２６号公報に開示されている。
【００１８】
共通光伝送路ＣＰは、光伝送装置１内（光コネクタＣＮ１よりも第１ＷＤＭカプラＰＣ１側の部分）の短距離光ファイバと、光伝送装置２内（光コネクタＣＮ２よりも第２ＷＤＭカプラＰＣ２側の部分）の短距離光ファイバと、光コネクタＣＮ１と光コネクタＣＮ２とを結ぶ長距離光ファイバとからなる。長距離光ファイバの途中には、中継光コネクタＣＮ３が介設されている。
【００１９】
光コネクタＣＮ１，ＣＮ２は、光伝送装置１，２に設置されているものであり、反射防止コートや光ファイバ斜め研磨などにより反射を十分に抑制してあるものが使われている。
しかし、中継光コネクタＣＮ３には、反射が十分に抑制されていないものがしばしば使われる。つまり、この中継光コネクタＣＮ３における反射による戻り光が従来問題となっている。
【００２０】
第２ＷＤＭカプラＰＣ２は、第１ＷＤＭカプラＰＣ１と同様の構成であり、第２送信側光伝送路ＴＰ２から入力される波長λ２（例えば１５５０［ｎｍ］）のレーザ光を共通光伝送路ＣＰへ出力し、共通光伝送路ＣＰから入力される波長λ１のレーザ光を第１受信側光伝送路ＲＰ１へ出力するものである。
【００２１】
第１フォトダイオードＰＤ１は、波長λ１のレーザ光を受光し電気信号に変換する。第１フォトダイオードＰＤ１が出力する電気信号は、第１アンプＡＰ１で増幅され、図示せぬ後段で第１データＤ１が復調される。
【００２２】
第１受信側光伝送路ＲＰ１は、光ファイバである。
【００２３】
第２レーザダイオードＬＤ２は、第２データＤ２に基づいて変調された電流により第２ドライバＤＶ２で駆動され、波長λ２のレーザ光を出力する。
【００２４】
第２送信側光伝送路ＴＰ２は、第１送信側光伝送路ＴＰ１と同様の構成であり、２本の光ファイバの中心軸をずらせて接合し、接合部分を熱処理してコアを滑らかに繋いだものである。接合部分が第２光減衰部ＡＴ２となる。
【００２５】
第２フォトダイオードＰＤ２は、波長λ２のレーザ光を受光し電気信号に変換する。第２フォトダイオードＰＤ２が出力する電気信号は、第２アンプＡＰ２で増幅され、図示せぬ後段で第２データＤ２が復調される。
【００２６】
第２受信側光伝送路ＲＰ２は、光ファイバである。
【００２７】
なお、第２ＷＤＭカプラＰＣ２と第１フォトダイオードＰＤ１とを一体化したＷＤＭフィルタモジュールを用いてもよい。また、第１ＷＤＭカプラＰＣ１と第２フォトダイオードＰＤ２とを一体化したＷＤＭフィルタモジュールを用いてもよい。このようなＷＤＭフィルタモジュールは市販されている。
【００２８】
第１レーザダイオードＬＤ１の出力レベルを０［ｄＢ］とし、第１光減衰部ＡＴ１の減衰量を−Ａ１［ｄＢ］とし、第１光減衰部ＡＴ１がない場合の第１送信側光伝送路ＴＰ１の減衰量を−Ｓ１［ｄＢ］とし、第１ＷＤＭカプラＰＣ１での減衰量を−Ｂ１［ｄＢ］とし、共通光伝送路ＣＰの減衰量を−Ｃ［ｄＢ］とし、第２ＷＤＭカプラＰＣ２での減衰量を−Ｂ２［ｄＢ］とし、第１受信側光伝送路ＲＰ１の減衰量を−Ｒ１［ｄＢ］とし、第１フォトダイオードＰＤ１での許容受光レベルを−Ｌ１［ｄＢ］とするとき、
Ａ１＋Ｓ１＋Ｂ１＋Ｃ＋Ｂ２＋Ｒ１≦Ｌ１
になるように減衰量−Ａ１が調整してある。数値例を示すと、Ａ１＝２５、Ｓ１＋Ｃ＋Ｒ１＝１０、Ｂ１＝Ｂ２＝０、Ｌ１＝３５である。
【００２９】
また、第２レーザダイオードＬＤ２の出力レベルを０［ｄＢ］とし、第２光減衰部ＡＴ２の減衰量を−Ａ２［ｄＢ］とし、第２光減衰部ＡＴ２がない場合の第２送信側光伝送路ＴＰ２の減衰量を−Ｓ２［ｄＢ］とし、共通光伝送路ＣＰの減衰量を−Ｃ［ｄＢ］とし、第２受信側光伝送路ＲＰ２の減衰量を−Ｒ２［ｄＢ］とし、第２フォトダイオードＰＤ２での許容受光レベルを−Ｌ２［ｄＢ］とするとき、
Ａ２＋Ｓ２＋Ｂ２＋Ｃ＋Ｂ１＋Ｒ２≦Ｌ２
になるように減衰量−Ａ２が調整してある。数値例を示すと、Ａ２＝２５、Ｓ２＋Ｃ＋Ｒ２＝１０、Ｂ１＝Ｂ２＝０、Ｌ２＝３５である。
【００３０】
次に、波長λ１のレーザ光の中継光コネクタＣＮ３での反射による減衰レベルを−Ｅ１［ｄＢ］とし、波長λ２のレーザ光の中継光コネクタＣＮ３での反射による減衰レベルを−Ｅ２［ｄＢ］とするとき、
Ａ１＋Ｂ１＋Ｅ１＋Ｂ１＋Ａ１≧４０［ｄＢ］
Ａ２＋Ｂ２＋Ｅ２＋Ｂ２＋Ａ２≧４０［ｄＢ］
となるように減衰量Ａ１，Ａ２が調整してある。数値例を示すと、Ａ１＝２５、Ｅ１＝１４、Ｂ１＝Ｂ２＝０、Ａ２＝２５、Ｅ２＝１４である。なお、Ｂ１＋Ｅ１＋Ｂ１＝Ｆ１は第１光減衰部ＡＴ１への戻り光の減衰レベルを表し、Ｂ２＋Ｅ２＋Ｂ２＝Ｆ２は、第２光減衰部ＡＴ２への戻り光の減衰レベルを表している。
【００３１】
実施例１の光伝送路によれば、第１レーザダイオードＬＤ１から第２レーザダイオードＬＤ２へ入る光（波長λ１）の減衰レベルは、Ａ１＋Ｓ１＋Ｂ１＋Ｃ＋Ｂ２＋Ｒ２＋Ａ２であり、数値例では−５０［ｄＢ］以上の減衰量になり、第２レーザダイオードＬＤ２への悪影響を十分に防止できる。また、第２レーザダイオードＬＤ２から第１レーザダイオードＬＤ１へ入る光（波長λ２）の減衰レベルは、Ａ２＋Ｓ２＋Ｂ２＋Ｃ＋Ｂ２＋Ｒ１＋Ａ１であり、数値例では−５０［ｄＢ］以上の減衰量になり、第１レーザダイオードＬＤ１への悪影響を十分に防止できる。
さらに、第１レーザダイオードＬＤ１への戻り光（波長λ１）のレベルおよび第２レーザダイオードＬＤ２への戻り光（波長λ２）のレベルは−４０［ｄＢ］以上の減衰量になり、戻り光による悪影響を十分に防止できる。
また、フォトダイオードＰＤ１，ＰＤ２での許容受光レベル−Ｌ１，−Ｌ２を確保することが出来る。
【実施例２】
【００３２】
図３に示すように、実施例２は、実施例１の第１ＷＤＭカプラＰＣ１，第２ＷＤＭカプラＰＣ２の代わりに、第１分岐カプラＢＣ１，第２分岐カプラＢＣ２を用いたものである。このような分岐カプラは、例えば「岩淵昌広他：ファイバ型ＷＤＭ光カプラ：沖テクニカルレビュー ２００４年４月／第１９０号 Vol.69 No.２ 第８８頁−第９１頁」に記載されている。
【００３３】
第１分岐カプラＢＣ１は、共通光伝送路ＣＰから入力されるレーザ光の一定割合を第２受信側光伝送路ＲＰ２へ出力すると共に残りを第１送信側光伝送路ＴＰ１へ出力するものである。この場合、第１送信側光伝送路ＴＰ１から入力されるレーザ光の一定割合が共通光伝送路ＣＰへ出力される。第１送信側光伝送路ＴＰ１から入力されるレーザ光が第２受信側光伝送路ＲＰ２へ出力されることはない。
【００３４】
同様に、第２分岐カプラＢＣ２は、共通光伝送路ＣＰから入力されるレーザ光の一定割合を第１受信側光伝送路ＲＰ２へ出力すると共に残りを第２送信側光伝送路ＴＰ２へ出力するものである。この場合、第２送信側光伝送路ＴＰ２から入力されるレーザ光の一定割合が共通光伝送路ＣＰへ出力される。第２送信側光伝送路ＴＰ２から入力されるレーザ光が第１受信側光伝送路ＲＰ１へ出力されることはない。
【００３５】
第１レーザダイオードＬＤ１の出力レベルを０［ｄＢ］とし、第１光減衰部ＡＴ１の減衰量を−Ａ１［ｄＢ］とし、第１光減衰部ＡＴ１がない場合の第１送信側光伝送路ＴＰ１の減衰量を−Ｓ１［ｄＢ］とし、第１分岐カプラＢＣ１での一定割合を−Ｂ１［ｄＢ］とし、共通光伝送路ＣＰの減衰量を−Ｃ［ｄＢ］とし、第２分岐カプラＢＣ２での一定割合を−Ｂ２［ｄＢ］とし、第１受信側光伝送路ＲＰ１の減衰量を−Ｒ１［ｄＢ］とし、第１フォトダイオードＰＤ１での許容受光レベルを−Ｌ１［ｄＢ］とするとき、
Ａ１＋Ｓ１＋Ｂ１＋Ｃ＋Ｂ２＋Ｒ１≦Ｌ１
になるように減衰量−Ａ１が調整してある。数値例を示すと、Ａ１＝１９、Ｓ１＋Ｃ＋Ｒ１＝１０、Ｂ１＝３、Ｂ２＝３、Ｌ１＝３５である。
【００３６】
また、第２レーザダイオードＬＤ２の出力レベルを０［ｄＢ］とし、第２光減衰部ＡＴ２の減衰量を−Ａ２［ｄＢ］とし、第２光減衰部ＡＴ２がない場合の第２送信側光伝送路ＴＰ２の減衰量を−Ｓ２［ｄＢ］とし、共通光伝送路ＣＰの減衰量を−Ｃ［ｄＢ］とし、第２受信側光伝送路ＲＰ２の減衰量を−Ｒ２［ｄＢ］とし、第２フォトダイオードＰＤ２での許容受光レベルを−Ｌ２［ｄＢ］とするとき、
Ａ２＋Ｓ２＋Ｂ２＋Ｃ＋Ｂ１＋Ｒ２≦Ｌ２
になるように減衰量−Ａ２が調整してある。数値例を示すと、Ａ２＝１９、Ｓ２＋Ｃ＋Ｒ２＝１０、Ｂ２＝３、Ｂ１＝３、Ｌ２＝３５である。
【００３７】
次に、第１レーザダイオードＬＤ１への戻り光（波長λ１）の中継光コネクタＣＮ３での反射による減衰レベルを−Ｅ１［ｄＢ］とし、第２レーザダイオードＬＤ２への戻り光（波長λ２）の中継光コネクタＣＮ３での反射による減衰レベルを−Ｅ２［ｄＢ］とするとき、
Ａ１＋Ｂ１＋Ｅ１＋Ｂ１＋Ａ１≧４０［ｄＢ］
Ａ２＋Ｂ２＋Ｅ２＋Ｂ２＋Ａ２≧４０［ｄＢ］
となるように減衰量Ａ１，Ａ２が調整してある。数値例を示すと、Ａ１＝１９、Ｂ１＝３、Ｅ１＝１４、Ａ２＝１９、Ｂ２＝３、Ｅ２＝１４である。
【００３８】
実施例２の光伝送路によれば、第１レーザダイオードＬＤ１から第２レーザダイオードＬＤ２へ入る光（波長λ１）の減衰レベルは、Ａ１＋Ｓ１＋Ｂ１＋Ｃ＋Ｂ２＋Ｒ２＋Ａ２であり、数値例では−５０［ｄＢ］以上の減衰量になり、第２レーザダイオードＬＤ２への悪影響を十分に防止できる。また、第２レーザダイオードＬＤ２から第１レーザダイオードＬＤ１へ入る光（波長λ２）の減衰レベルは、Ａ２＋Ｓ２＋Ｂ２＋Ｃ＋Ｂ２＋Ｒ１＋Ａ１であり、数値例では−５０［ｄＢ］以上の減衰量になり、第１レーザダイオードＬＤ１への悪影響を十分に防止できる。
さらに、第１レーザダイオードＬＤ１への戻り光（波長λ１）のレベルおよび第２レーザダイオードＬＤ２への戻り光（波長λ２）のレベルは−４０［ｄＢ］以上の減衰量になり、戻り光による悪影響を十分に防止できる。
また、フォトダイオードＰＤ１，ＰＤ２での許容受光レベル−Ｌ１，−Ｌ２を確保することが出来る。
【実施例３】
【００３９】
図４に示すように、実施例３の光伝送路Ｐは、一方向の光伝送路である。
この光伝送路Ｐは、レーザダイオードＬＤとフォトダイオードＰＤとを結ぶ光伝送路であって、該光伝送路中に介設された光コネクタＣＮ１とレーザダイオードＬＤの間に、光ファイバの軸をずらして融着することによる光減衰部ＡＴを設けたものである。
【００４０】
レーザダイオードＬＤは、データＤに基づいて変調された電流によりドライバＤＶで駆動され、波長λ１（例えば１３１０［ｎｍ］）のレーザ光を出力する。
フォトダイオードＰＤは、波長λ１のレーザ光を受光し電気信号に変換する。フォトダイオードＰＤが出力する電気信号は、アンプＡＰで増幅され、図示せぬ後段でデータＤが復調される。
【００４１】
光伝送路Ｐは、光送信装置３内（光コネクタＣＮ１よりもレーザダイオードＬＤ側の部分）の短距離光ファイバと、光受信装置４内（光コネクタＣＮ２よりもフォトダイオードＰＤ側の部分）の短距離光ファイバと、光コネクタＣＮ１と光コネクタＣＮ２とを結ぶ長距離光ファイバとからなる。長距離光ファイバの途中には、中継光コネクタＣＮ３が介設されている。
【００４２】
光コネクタＣＮ１，ＣＮ２は、光送信装置３，光受信装置４に設置されているものであり、反射防止コートや光ファイバ斜め研磨などにより反射を十分に抑制してあるものが使われている。
しかし、中継光コネクタＣＮ３には、反射が十分に抑制されていないものがしばしば使われる。つまり、この中継光コネクタＣＮ３における反射による戻り光が従来問題となっている。
【００４３】
レーザダイオードＬＤの出力レベルを０［ｄＢ］とし、フォトダイオードＰＤでの許容受光レベルを−Ｌ［ｄＢ］とし、光減衰部ＡＴの減衰量を−Ａ［ｄＢ］とし、光減衰部ＡＴがない場合の光伝送路の減衰量を−Ｂ［ｄＢ］とするとき、
Ａ＋Ｂ≦Ｌ
となるように光減衰部ＡＴの減衰量Ａを調整してある。数値例を示すと、Ａ＝２５、Ｂ＝１０、Ｌ＝３５である。
【００４４】
次に、光減衰部ＡＴへの戻り光の減衰レベルを−Ｆ［ｄＢ］とするとき、
Ａ＋Ｆ＋Ａ≧４０［ｄＢ］
となるように減衰量Ａが調整してある。数値例を示すと、Ａ＝２５、Ｆ＝１４である。
【００４５】
実施例３の光伝送路によれば、レーザダイオードＬＤへの戻り光のレベル−４０［ｄＢ］以上の減衰量になり、戻り光による悪影響を十分に防止できる。
また、フォトダイオードＰＤでの許容受光レベル−Ｌを確保することが出来る。
【産業上の利用可能性】
【００４６】
本発明の光伝送路は、光通信分野に利用できる。
【図面の簡単な説明】
【００４７】
【図１】実施例１に係る光伝送路を示す構成図である。
【図２】実施例１に係る第１送信側光伝送路および第１光減衰部を示す拡大断面図である。
【図３】実施例２に係る光伝送路を示す構成図である。
【図４】実施例３に係る光伝送路を示す構成図である。
【符号の説明】
【００４８】
１０，２０      光ファイバ
ＡＴ１          第１光減衰部
ＡＴ２          第２光減衰部
ＣＰ            共通光伝送路
ＬＤ１          第１レーザダイオード
ＬＤ２          第２レーザダイオード
ＰＣ１          第１ＷＤＭカプラ
ＰＣ２          第２ＷＤＭカプラ
ＰＤ１          第１フォトダイオード
ＰＤ２          第２フォトダイオード
ＲＰ１          第１受信側光伝送路
ＲＰ２          第２受信側光伝送路
ＴＰ１          第１送信側光伝送路
ＴＰ２          第２送信側光伝送路
【図１】
2006060641.tif 000003
【図２】
2006060641.tif 000004
【図３】
2006060641.tif 000005
【図４】
2006060641.tif 000006